【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
画像を保持する像保持体と、
前記像保持体との間に記録材を挟んで回転し、当該像保持体に保持された画像を当該記録材に転写させる無端状の転写ベルトと、
前記転写ベルトを掛け渡すとともに前記像保持体に当該転写ベルトを接触させる第１のロール部材と、
前記第１のロール部材とともに前記転写ベルトを掛け渡す第２のロール部材と、
前記第１のロール部材および前記第２のロール部材とともに前記転写ベルトを掛け渡す第３のロール部材と、
前記第１のロール部材と前記第２のロール部材との軸間距離に関し、前記転写ベルトの一方の端部側よりも他方の端部側が大きくなるように当該第２のロール部材を移動させ、且つ、前記第１のロール部材と前記第３のロール部材との軸間距離に関し、当該一方の端部側よりも当該他方の端部側が小さくなるように当該第３のロール部材を移動させる移動部と、
を含む画像形成装置。
【請求項２】
前記移動部は、さらに、前記第１のロール部材と前記第２のロール部材との軸間距離に関し、前記一方の端部側よりも前記他方の端部側が小さくなるように当該第２のロール部材を移動させ、且つ、前記第１のロール部材と前記第３のロール部材との軸間距離に関し、当該一方の端部側よりも当該他方の端部側が大きくなるように当該第３のロール部材を移動させることを特徴とする請求項１記載の画像形成装置。
【請求項３】
前記移動部は、前記転写ベルトの前記一方の端部側に所定の軸を中心として回転可能に取り付けられ、前記第２のロール部材および前記第３のロール部材に接触する外周面を備えたカムを含み、
前記外周面は、前記カムの回転に伴って前記中心から前記第２のロール部材との接触部位に至る第１の距離が減少した際に当該中心から前記第３のロール部材との接触部位に至る第２の距離が増加し、当該カムの回転に伴って当該第１の距離が増加した際に当該第２の距離が減少する形状を備えていることを特徴とする請求項２記載の画像形成装置。
【請求項４】
前記移動部は、前記転写ベルトの前記他方の端部側に所定の軸を中心として回転可能に取り付けられ、前記第２のロール部材および前記第３のロール部材に接触する他の外周面を備えた他のカムと、
前記カムの軸および前記他のカムの軸を固定して支持し、当該カムおよび当該他のカムを同方向に回転させるカム軸とをさらに含み、
前記他の外周面は、前記他のカムの回転に伴って前記中心から前記第２のロール部材との接触部位に至る第３の距離が減少した際に当該中心から前記第３のロール部材との接触部位に至る第４の距離が増加し、当該他のカムの回転に伴って当該第３の距離が増加した際に当該第４の距離が減少する形状を備え、
前記カム軸は、前記第１の距離が増加した際に前記第３の距離が減少し、前記第２の距離が増加した際に前記第４の距離が減少するよう、前記第２のロール部材および前記第３のロール部材を支持することを特徴とする請求項３記載の画像形成装置。
【請求項５】
前記移動部は、さらに、前記第１のロール部材と前記第２のロール部材との前記一方の端部側における軸間距離が、当該第１のロール部材と前記第３のロール部材との前記他方の端部側における軸間距離と実質的に等しくなるように当該第２のロール部材及び当該第３のロール部材を移動させることを特徴とする請求項２記載の画像形成装置。
【請求項６】
前記移動部は、前記転写ベルトの一方の端部側の周長および当該転写ベルトの他方の端部側の周長が同じになるように前記第２のロール部材および前記第３のロール部材を移動させることを特徴とする請求項１記載の画像形成装置。
【請求項７】
前記第２のロール部材は、前記第１のロール部材よりも前記転写ベルトの回転方向下流側に設けられ、
前記第２のロール部材は、前記第１のロール部材と当該第２のロール部材とによって前記転写ベルトに形成される面に沿って移動することを特徴とする請求項１記載の画像形成装置。
【請求項８】
前記第３のロール部材は、前記第２のロール部材よりも前記転写ベルトの回転方向下流側であって前記第１のロール部材よりも当該転写ベルトの回転方向上流側に設けられ、
前記第３のロール部材は、当該第３のロール部材と前記第１のロール部材とによって前記転写ベルトに形成される面に沿って移動することを特徴とする請求項７記載の画像形成装置。
【請求項９】
画像を保持する像保持体と、
前記像保持体との間に記録材を挟んで回転し、当該像保持体に保持された画像を当該記録材に転写させる無端状の転写ベルトと、
前記転写ベルトを掛け渡すとともに前記像保持体に当該転写ベルトを接触させる第１のロール部材と、
前記第１のロール部材とともに前記転写ベルトを掛け渡す第２のロール部材と、
前記第１のロール部材および前記第２のロール部材とともに前記転写ベルトを掛け渡す第３のロール部材と、
前記第１のロール部材の軸に対する前記第２のロール部材の軸の向きを設定し、且つ、当該第２のロール部材の軸の向きの設定動作に連動して当該第２のロール部材の軸とは異なる方向に前記第３のロール部材の軸の向きを設定する設定部と、
を含む画像形成装置。
【請求項１０】
前記設定部は、前記第１のロール部材の軸と同じ方向に前記第２のロール部材の軸の向きを設定する場合に、当該第２のロール部材の軸と同じ方向に前記第３のロール部材の軸の向きを設定することを特徴とする請求項９記載の画像形成装置。
【請求項１１】
前記設定部は、前記第２のロール部材の一方の端部が前記第１のロール部材から遠ざかるように当該第２のロール部材の軸の向きを設定し、且つ、前記第３のロール部材の当該一方の端部と同じ側の端部が当該第１のロール部材に近づくように当該第３のロール部材の軸の向きを設定することを特徴とする請求項９記載の画像形成装置。
【請求項１２】
前記設定部は、前記第２のロール部材の他方の端部が前記第１のロール部材に近づくように当該第２のロール部材の軸の向きを設定し、且つ、前記第３のロール部材の当該他方の端部と同じ側の端部が当該第１のロール部材から遠ざかるように当該第３のロール部材の軸の向きを設定することを特徴とする請求項１１記載の画像形成装置。
【請求項１３】
画像を保持する像保持体と、
前記像保持体との間に記録材を挟んで回転し、当該像保持体に保持された画像を当該記録材に転写させる無端状の転写ベルトと、
前記転写ベルトを掛け渡すとともに前記像保持体に当該転写ベルトを接触させる第１のロール部材と、
前記第１のロール部材とともに前記転写ベルトを掛け渡し、当該第１のロール部材とともに当該転写ベルトに前記記録材を搬送する搬送面を形成する第２のロール部材と、
前記第１のロール部材および前記第２のロール部材とともに前記転写ベルトを掛け渡し、当該第１のロール部材とともに当該転写ベルトに前記記録材を搬送しない非搬送面を形成する第３のロール部材と、
前記搬送面において前記転写ベルトの一方の端部側よりも他方の端部側の移動速度が大きくなるように前記第２のロール部材を移動させ、前記非搬送面において当該転写ベルトの当該一方の端部側よりも当該他方の端部側の移動速度が小さくなるように前記第３のロール部材を移動させる移動部と、
を含む画像形成装置。
【請求項１４】
前記移動部は、さらに、前記搬送面において前記転写ベルトの一方の端部側よりも他方の端部側の移動速度が小さくなるように前記第２のロール部材を移動させ、前記非搬送面において当該転写ベルトの当該一方の端部側よりも当該他方の端部側の移動速度が大きくなるように前記第３のロール部材を移動させることを特徴とする請求項１３記載の画像形成装置。
【請求項１５】
前記移動部は、前記転写ベルトの前記一方の端部側全体の平均速度と前記他方の端部側全体の平均速度とが等しくなるように前記第２のロール部材および前記第３のロール部材を移動させることを特徴とする請求項１３記載の画像形成装置。
【請求項１６】
回転する無端状のベルトと、
前記ベルトを掛け渡す第１のロール部材と、
前記第１のロール部材とともに前記ベルトを掛け渡す第２のロール部材と、
前記第１のロール部材および前記第２のロール部材とともに前記ベルトを掛け渡す第３のロール部材と、
前記第１のロール部材と前記第２のロール部材との軸間距離に関し、前記ベルトの一方の端部側よりも他方の端部側が大きくなるように当該第２のロール部材を移動させ、且つ、前記第１のロール部材と前記第３のロール部材との軸間距離に関し、当該一方の端部側よりも当該他方の端部側が小さくなるように当該第３のロール部材を移動させる移動部と、
を含むベルト搬送装置。
【手続補正２】
【補正対象書類名】明細書
【補正対象項目名】０００６
【補正方法】変更
【補正の内容】
【０００６】
請求項３に係る発明は、前記移動部は、前記転写ベルトの前記一方の端部側に所定の軸を中心として回転可能に取り付けられ、前記第２のロール部材および前記第３のロール部材に接触する外周面を備えたカムを含み、前記外周面は、前記カムの回転に伴って前記中心から前記第２のロール部材との接触部位に至る第１の距離が減少した際に当該中心から前記第３のロール部材との接触部位に至る第２の距離が増加し、当該カムの回転に伴って当該第１の距離が増加した際に当該第２の距離が減少する形状を備えていることを特徴とする請求項２記載の画像形成装置である。
請求項４に係る発明は、前記移動部は、前記転写ベルトの前記他方の端部側に所定の軸を中心として回転可能に取り付けられ、前記第２のロール部材および前記第３のロール部材に接触する他の外周面を備えた他のカムと、前記カムの軸および前記他のカムの軸を固定して支持し、当該カムおよび当該他のカムを同方向に回転させるカム軸とをさらに含み、前記他の外周面は、前記他のカムの回転に伴って前記中心から前記第２のロール部材との接触部位に至る第３の距離が減少した際に当該中心から前記第３のロール部材との接触部位に至る第４の距離が増加し、当該他のカムの回転に伴って当該第３の距離が増加した際に当該第４の距離が減少する形状を備え、前記カム軸は、前記第１の距離が増加した際に前記第３の距離が減少し、前記第２の距離が増加した際に前記第４の距離が減少するよう、前記第２のロール部材および前記第３のロール部材を支持することを特徴とする請求項３記載の画像形成装置である。
【手続補正３】
【補正対象書類名】明細書
【補正対象項目名】０００７
【補正方法】変更
【補正の内容】
【０００７】
請求項５に係る発明は、前記移動部は、さらに、前記第１のロール部材と前記第２のロール部材との前記一方の端部側における軸間距離が、当該第１のロール部材と前記第３のロール部材との前記他方の端部側における軸間距離と実質的に等しくなるように当該第２のロール部材及び当該第３のロール部材を移動させることを特徴とする請求項２記載の画像形成装置である。
請求項６に係る発明は、前記移動部は、前記転写ベルトの一方の端部側の周長および当該転写ベルトの他方の端部側の周長が同じになるように前記第２のロール部材および前記第３のロール部材を移動させることを特徴とする請求項１記載の画像形成装置である。
請求項７に係る発明は、前記第２のロール部材は、前記第１のロール部材よりも前記転写ベルトの回転方向下流側に設けられ、前記第２のロール部材は、前記第１のロール部材と当該第２のロール部材とによって前記転写ベルトに形成される面に沿って移動することを特徴とする請求項１記載の画像形成装置である。
請求項８に係る発明は、前記第３のロール部材は、前記第２のロール部材よりも前記転写ベルトの回転方向下流側であって前記第１のロール部材よりも当該転写ベルトの回転方向上流側に設けられ、前記第３のロール部材は、当該第３のロール部材と前記第１のロール部材とによって前記転写ベルトに形成される面に沿って移動することを特徴とする請求項７記載の画像形成装置である。
【手続補正４】
【補正対象書類名】明細書
【補正対象項目名】００４７
【補正方法】変更
【補正の内容】
【００４７】
これにより、第１アウト側軸間距離ＬＯ１、第２アウト側軸間距離ＬＯ２、第１イン側軸間距離ＬＩ１および第２イン側軸間距離ＬＩ２は全て等しくなっている（ＬＯ１＝ＬＯ２＝ＬＩ１＝ＬＩ２）。また、第３アウト側軸間距離ＬＯ３および第３イン側軸間距離ＬＩ３についても、画像調整ロール２３とベルト調整ロール２４とが平行であるため等しくなっている（ＬＯ３＝ＬＩ３）。
ここで、二次転写ベルト２１のアウト側の各軸間距離の和（ＬＯ１＋ＬＯ２＋ＬＯ３）と、イン側の各軸間距離の和（ＬＩ１＋ＬＩ２＋ＬＩ３）とは、上記の関係より等しくなる。したがって、上述した軸間距離の状態に掛け回される二次転写ベルト２１において、二次転写ベルト２１の一周の長さ（以下、周長という）は、イン側とアウト側とで等しくなる。
このように、アウト側とイン側とで二次転写ベルト２１の周長が等しく、また、駆動ロール２２、画像調整ロール２３およびベルト調整ロール２４が相互にほぼ平行な状態になっているので、二次転写ベルト２１の蛇行も生じにくい。